【事件の表示】
　特許第５６５８３４６号に関する訂正審判事件について、次のとおり審決する。
【結　論】
　特許第５６５８３４６号に係る明細書及び特許請求の範囲を本件審判請求書に添付された訂正明細書及び特許請求の範囲のとおり訂正することを認める。
【理　由】
第１　手続の経緯 
　本件特許第５６５８３４６号の請求項１に係る発明は，平成２０年６月５日に出願された特願２００８−１４８５８７号の一部を平成２５年１２月９日に特願２０１３−２５３８１４号として新たに特許出願したものであって，平成２６年１２月５日にその特許権の設定登録がなされ，平成２７年１月６日に本件訂正審判の請求がなされたものである。 
 　 
　　
第２　請求の趣旨及び訂正の内容 
　本件訂正審判の請求は，本件特許の願書に添付した明細書（以下「本件特許明細書」という。）及び特許請求の範囲（以下「本件特許請求の範囲」という。）を，本件審判請求書に添付された訂正明細書及び特許請求の範囲のとおり訂正することを認める，との審決を求めるものである（下線部は訂正箇所を意味する。）。 
 　 
　その訂正内容は，次のとおりである。 
 　 
１　訂正事項１ 
　本件特許請求の範囲の請求項１における 
 「前記設定値設定手段の操作に基づいて新たな設定値が設定されることに伴って前記データ記憶手段に記憶されているデータを初期化する設定時初期化手段」という記載を， 
 「前記設定
操作
 　 
２　訂正事項２ 
　本件特許明細書の段落【０００９】における 
 「設定操作手段の操作に基づいて，遊技者にとっての有利度が異なる複数種類の設定値のうちから，いずれかの設定値を選択して設定する設定値設定手段（設定スイッチ９１，設定キースイッチ９２）」という記載を， 
 「設定操作手段
（設定スイッチ９１，設定キースイッチ９２）
 　 
３　訂正事項３ 
　本件特許明細書の段落【０００９】における 
 「前記設定値設定手段の操作に基づいて新たな設定値が設定されることに伴って前記データ記憶手段に記憶されているデータを初期化する設定時初期化手段」という記載を， 
 「前記
操作
 　 
４　訂正事項４ 
　本件特許明細書の段落【００５４】における 
 「前面扉の解放時」という記載を， 
 「前面扉の
開
 　 
５　訂正事項５ 
　本件特許明細書の段落【００９０】における 
 「基板ケースを解放し」という記載を， 
 「基板ケースを
開
 　 
６　訂正事項６ 
　本件特許明細書の段落【０１７６】における 
 「純増枚数」という記載を， 
 「純増
総
 　 
  　 
第３　当審の判断 
１　訂正事項１について
　本件特許請求の範囲の請求項１には，
　ア　「設定操作手段の操作に基づいて，遊技者にとっての有利度が異なる複数種類の設定値のうちから，いずれかの設定値を選択して設定する設定値設定手段と」，
　イ　「前記設定値設定手段の操作に基づいて新たな設定値が設定されることに伴って前記データ記憶手段に記憶されているデータを初期化する設定時初期化手段」
との記載があるが，アの記載によれば，「設定値」を設定するための操作の対象は「設定操作手段」であり，「設定値設定手段」は，「設定操作手段」の操作を受けて「設定値」を設定するものであるにもかかわらず，イの記載では「設定値」を設定するための操作の対象を「設定値設定手段」であるとしており，「設定値」を設定するための操作の対象が「設定操作手段」であるのか「設定値設定手段」であるのか不明瞭な記載になっていた。
　この点，本件特許明細書には， 「電源基板１００は，〜〜（中略）〜〜メダルの仮想払出率の設定値（設定１〜設定６）を変更するための設定スイッチ９１，設定スイッチ９１を操作有効とする設定キースイッチ９２，〜〜（中略）〜〜にもそれぞれ接続されており，これらのスイッチの検出信号を遊技制御基板１０１へと送る。」（段落【００５８】），また，「次に，設定値の変更について説明する。設定キースイッチ９２をＯＮ状態としてスロットマシン１を起動すると，設定変更モードに移行し〜〜（中略）〜〜格納領域を初期化する。設定変更モードにおいて，設定スイッチ９１により新たな設定値を設定し〜〜（中略）〜〜ゲームを実行するための処理を開始させることができる。」（段落【００９４】）ことが記載されており，これらの記載からは，設定値の設定は，設定スイッチ９１及び設定キースイッチ９２からなる操作手段によってなされていることから，「設定値」を設定するための操作の対象は「設定操作手段」であるといえ，「設定値設定手段」は，「設定操作手段」の操作に基づいて内部的に設定値を設定するものである。
　よって，訂正事項１により，本件特許請求の範囲の訂正前の請求項１に記載された「前記設定値設定手段の操作に基づいて新たな設定値が設定されることに伴って前記データ記憶手段に記憶されているデータを初期化する設定時初期化手段」という不明瞭な記載を，「前記設定
操作
　そして，訂正事項１は，本件特許明細書，特許請求の範囲又は図面（以下「本件特許明細書等」という。）の記載に基づくものであって，本件特許明細書等のすべてを総合することにより導かれる技術的事項との関係において新たな技術的事項を導入するものではなく，本件特許明細書等に記載した事項の範囲内においてされたものである。 
 　また，訂正事項１は，訂正の前後で特許請求の範囲に記載された発明の拡張又は変更はないから，実質上特許請求の範囲を拡張し，又は変更するものでもない。 
　したがって，訂正事項１は，特許法第１２６条第５項及び第６項の規定に適合する。 
　
２　訂正事項２について
　上記の「１　訂正事項１について」で述べたように，本件特許明細書の記載によれば， 設定値の設定は，設定スイッチ９１及び設定キースイッチ９２からなる操作手段によってなされていることから，「設定値」を設定するための操作の対象は「設定操作手段」であるといえ，「設定値設定手段」は，「設定操作手段」の操作に基づいて内部的に設定値を設定するものである。
　よって，訂正事項２により，「設定値」を設定するための操作の対象である「設定操作手段」としての設定スイッチ９１及び設定キースイッチ９２について，本件特許明細書の「設定操作手段の操作に基づいて，遊技者にとっての有利度が異なる複数種類の設定値のうちから，いずれかの設定値を選択して設定する設定値設定手段（設定スイッチ９１，設定キースイッチ９２）」という記載を，「設定操作手段
（設定スイッチ９１，設定キースイッチ９２）
　そして，訂正事項２は，本件特許明細書，特許請求の範囲又は図面（以下「本件特許明細書等」という。）の記載に基づくものであって，本件特許明細書等のすべてを総合することにより導かれる技術的事項との関係において新たな技術的事項を導入するものではなく，本件特許明細書等に記載した事項の範囲内においてされたものである。 
　また，訂正事項２は，訂正の前後で特許請求の範囲に記載された発明の拡張又は変更はないから，実質上特許請求の範囲を拡張し，又は変更するものでもない。 
　したがって，訂正事項２は，特許法第１２６条第５項及び第６項の規定に適合する。 
　
３　訂正事項３について 
　訂正事項３は，上記の「訂正事項１」の訂正により，本件訂正前の請求項１における明瞭でない記載の釈明の訂正を行った結果，記載表現が一致しなくなった本件特許明細書の【０００９】の記載を，訂正後の請求項１の記載に整合させるための訂正であるから，特許法第１２６条第１項ただし書第３号に掲げる，明瞭でない記載の釈明を目的とする訂正に該当する。
　そして，訂正事項３は，本件特許明細書等の記載に基づくものであって，本件特許明細書等のすべてを総合することにより導かれる技術的事項との関係において新たな技術的事項を導入するものではなく，本件特許明細書等に記載した事項の範囲内においてされたものである。 
　また，訂正事項３は，訂正の前後で特許請求の範囲に記載された発明の拡張又は変更はないから，実質上特許請求の範囲を拡張し，又は変更するものでもない。 
　したがって，訂正事項３は，特許法第１２６条第５項及び第６項の規定に適合する。 
 　 
４　訂正事項４及び５について 
　訂正事項４及び５は，本件特許明細書の段落【００５４】及び【００９０】に記載された「前面扉の解放時」及び「基板ケースを解放し」という日本語として不明瞭な記載を，それぞれ，「前面扉の
開
開
　そして，訂正事項４及び５は，本件特許明細書等の記載に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項４及び５は，訂正の前後で特許請求の範囲に記載された発明の拡張又は変更をするものではないから，実質上特許請求の範囲を拡張し，又は変更するものでもない。
　したがって，訂正事項４及び５は，特許法第１２６条第５項及び第６項の規定に適合する。
　
５　訂正事項６について
　訂正事項６は，願書に添付した明細書の段落【０１７６】に記載された「純増枚数」を，「純増
総
　本件特許明細書の段落【０１７６】の第１行には，「純増総数が１０００枚以下」と記載され，他方，段落【０１７６】の第２〜３行には「純増枚数が１０００枚以下」と記載され，同じ内容に対して異なる記載がされているという不明瞭な記載であった。
　そこで，記載を統一するにあたり，段落【０１７５】において「不利ＲＴに制御されることなく遊技が継続している間における最初に有利ＲＴに制御されたときからのメダルの純増枚数（小役入賞により払い出されたメダルの枚数から賭け数の設定に消費したメダルの枚数を減算した枚数（通常遊技状態，レアＲＴ，内部中ＲＴに制御されている間も算出対象：以下，これを純増総数と呼ぶ））」と記載されていることを考慮すると，それ以降の記載である段落【０１７６】の記載においては，この「以下，これを純増総数と呼ぶ」との記載に従って，「純増枚数」は「純増
総
　したがって，訂正事項６は，同じ内容を示す複数箇所の記載を，文脈に従って同一の記載とすることで，同じ内容であることを明瞭にするものであるから，特許法第１２６条第１項ただし書第３号に規定されている「明瞭でない記載の釈明」を目的とするものである。
　そして，訂正事項６は，本件特許明細書等の記載に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項６は，訂正の前後で特許請求の範囲に記載された発明の拡張又は変更をするものではないから，実質上特許請求の範囲を拡張し，又は変更するものでもない。
　よって，訂正事項６は，特許法第１２６条第５項及び第６項の規定に適合する。
　
　
第４　むすび
　したがって，本件訂正審判の請求は，特許法第１２６条第１項ただし書ただし書第３号に掲げる事項を目的とし，かつ，同条第５項及び第６項の規定に適合する。
　
　よって，結論のとおり審決する。